(57)【特許請求の範囲】
【請求項１】
複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、複数の光源によって照明される作業面での照度を所定の移行時間をかけて可変する可変手段を備え、制御手段は、移行時間内における各光源の光量が略一定の割合で変化し且つ移行時間内における作業面での照度が所定の割合で変化するように点灯手段を制御することを特徴とする照明装置。
【請求項２】
複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、光量変化パターンに従って各光源を点灯させる第１の点灯モードと、光量変化パターンに依らずに略一定の光量で光源を点灯させる第２の点灯モードとを所定の移行時間をかけて切り換える切換手段を備え、制御手段は、移行時間内における各光源の光量が略一定の割合で変化し且つ移行時間内における作業面での照度が所定の割合で変化するように点灯手段を制御することを特徴とする照明装置。
【請求項３】
複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、光量変化パターンに従って各光源を点灯させる第１の点灯モードと、光量変化パターンに依らずに略一定の光量で光源を点灯させる第２の点灯モードとを所定の移行時間をかけて切り換えるとともに、点灯モードの切換時に複数の光源によって照明される作業面での照度を可変する切換可変手段を備え、制御手段は、移行時間内における各光源の光量が略一定の割合で変化し且つ移行時間内における作業面での照度が所定の割合で変化するように点灯手段を制御することを特徴とする照明装置。
【請求項４】
制御手段は、作業面での照度が可変される際に、変化の前後における光量変化パターンの上限値に対する下限値の比率が略等しくなるように点灯手段を制御することを特徴とする請求項１又は３記載の照明装置。
【請求項５】
制御手段は、切換手段にて点灯モードが切り換えられる際に切換動作の前後及び移行時間内における作業面での照度が略一定となるように点灯手段を制御することを特徴とする請求項２又は３記載の照明装置。
【発明の詳細な説明】
【０００１】
【発明の属する技術分野】
本発明は、複数の光源の光量を単調かつ周期的に変化させる照明装置に関する。
【０００２】
【従来の技術】
従来より、複数の光源の光量を変動させることで人の注意を引きつける所謂アイキャッチ効果や、見る者に視感的に安心感を与えるような特殊な効果を奏する照明装置が提供されている。例えば、複数の光源と、これらの光源を点灯する点灯手段と、点灯手段を制御して各光源の光量を変える制御手段とを備え、制御手段が、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御することによって、上記アイキャッチ効果を奏するようにした照明装置がある。
【０００３】
【発明が解決しようとする課題】
しかしながら、上記従来の照明装置では、使用者が仕事や読書などの作業を行う作業面を照明するための主照明として用いられる場合に、作業面での照度や複数の光源による全体の光量を変化させることができないという問題があった。
本発明は上記問題点の解決を目的とするものであり、アイキャッチ効果等の特殊な効果を得ながら作業面での照度を任意に可変することができる照明装置を提供しようとするものである。
【０００４】
【課題を解決するための手段】
請求項１の発明は、上記目的を達成するために、複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、複数の光源によって照明される作業面での照度を所定の移行時間をかけて可変する可変手段を備え、制御手段は、移行時間内における各光源の光量が略一定の割合で変化し且つ移行時間内における作業面での照度が所定の割合で変化するように点灯手段を制御することを特徴とし、移行時間をかけ且つ略一定の割合で光源の光量を変化させながら作業面での照度を変化させるので、アイキャッチ効果等の特殊な効果を得ながら可変手段によって作業面での照度を任意に可変することができる。しかも、作業面での照度が急峻に変化せず、略一定の割合で変化するので、作業面での作業者に違和感を与えることがない。
【０００５】
請求項２の発明は、上記目的を達成するために、複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、光量変化パターンに従って各光源を点灯させる第１の点灯モードと、光量変化パターンに依らずに略一定の光量で光源を点灯させる第２の点灯モードとを所定の移行時間をかけて切り換える切換手段を備え、制御手段は、移行時間内における各光源の光量が略一定の割合で変化し且つ移行時間内における作業面での照度が所定の割合で変化するように点灯手段を制御することを特徴とし、移行時間をかけて第１の点灯モードと第２の点灯モードを切り換えながら作業面での照度を変化させるので、アイキャッチ効果等の特殊な効果を得ながら可変手段によって作業面での照度を任意に可変することができる。しかも、作業面での照度が急峻に変化せず、略一定の割合で変化するので、作業面での作業者に違和感を与えることがない。
【０００６】
請求項３の発明は、上記目的を達成するために、複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、光量変化パターンに従って各光源を点灯させる第１の点灯モードと、光量変化パターンに依らずに略一定の光量で光源を点灯させる第２の点灯モードとを所定の移行時間をかけて切り換えるとともに、点灯モードの切換時に複数の光源によって照明される作業面での照度を可変する切換可変手段を備え、制御手段は、移行時間内における各光源の光量が略一定の割合で変化し且つ移行時間内における作業面での照度が所定の割合で変化するように点灯手段を制御することを特徴とし、移行時間をかけて第１の点灯モードと第２の点灯モードを切り換え且つ略一定の割合で光源の光量を変化させながら作業面での照度を変化させるので、アイキャッチ効果等の特殊な効果を得ながら可変手段によって作業面での照度を任意に可変することができる。しかも、作業面での照度が急峻に変化せず、略一定の割合で変化するので、作業面での作業者に違和感を与えることがない。
【０００７】
請求項４の発明は、請求項１又は３の発明において、制御手段が、作業面での照度が可変される際に、変化の前後における光量変化パターンの上限値に対する下限値の比率が略等しくなるように点灯手段を制御することを特徴とし、作業面照度を変化させる動作の前後で、全体の光量に対する光の明暗の幅が変わることがなく、光源を見る者に対して、光の見た目の揺らめき感に違和感を与えることなく、作業面照度を変化させることができる。
【００１８】
請求項５の発明は、請求項２又は３の発明において、制御手段が、切換手段にて点灯モードが切り換えられる際に切換動作の前後及び移行時間内における作業面での照度が略一定となるように点灯手段を制御することを特徴とし、点灯モードの切り換えの前後とその間の移行時間内を通して作業面照度を時間的に常に略一定とし、照明下にいる者に気付かせることなく点灯モードの切り換えを行うことができる。
【００２６】
【発明の実施の形態】
（実施形態１）
図１は本発明の第１の実施形態を示すブロック図である。本実施形態における照明装置は、白熱灯のような光源１１ａ1 〜１１ｃ1 ，１１ａ2 〜１１ｃ2 ，１１ａ3 〜１１ｃ3 をそれぞれ３つずつ具備する３台の照明器具１０1 〜１０3 と、商用電源のような交流電源ＡＣと照明器具１０1 〜１０3 の間に挿入されて照明器具１０1 …の各光源１１ａ1 …の光量を変化させる制御部１とで構成されている。ここで、本実施形態における照明器具１０1 〜１０3 は、例えば所謂シャンデリア型の照明器具であり、器具本体に内蔵されたりあるいは別の場所（壁など）に配設される制御部１によって制御される。
【００２７】
制御部１は、交流電源ＡＣからの交流電圧を所定の直流電圧に変換して各部に供給する電源部２と、交流電圧のゼロクロス点を検出するゼロクロス検出部３と、マイクロコンピュータを具備して制御手段を構成する制御回路部４と、トライアックから成り点灯手段を構成するスイッチング素子Ｑａ〜Ｑｃとを備えている。各照明器具１０1 〜１０3 が具備する光源１１ａ1 ，１１ａ2 ，１１ａ3 、…は互いに並列に接続されるとともにスイッチング素子Ｑａ…を介して交流電源ＡＣの両端に接続されている。
【００２８】
また、ゼロクロス検出部３は交流電源ＡＣの交流電圧のゼロクロス点を検出して制御回路部４に検出信号を出力する。制御回路部４は、ゼロクロス検出部３からの検出信号を受け取ると、各スイッチング素子Ｑａ〜Ｑｃに調光信号（トリガ信号）を出力してスイッチング素子Ｑａ…をターンオンして光源１１ａ1 …を点灯させ、そして、交流電源ＡＣの交流電圧がゼロクロス点を通過してその極性が反転すれば、スイッチング素子Ｑａ…はターンオフする。すなわち、制御回路部４は上記ような動作を繰り返して各スイッチング素子Ｑａ〜Ｑｃをターンオンする位相を制御することにより、光源１１ａ1 …の光量を変化させる所謂位相制御を行っている。
【００２９】
ところで、制御回路部４は予め設定された光量変化パターンに従って各光源１１ａ1 …の光量を変化させている。この光量変化パターンは、図２に示すように上限値ＵＬと下限値ＬＬの２つの光量間で単調且つ周期的に変化するように作成されており、その周期Ｔは以下の式１によって決定している。なお、ｔf は光量を下限値ＬＬから上限値ＵＬに上昇させるフェードインあるいは上限値ＵＬから下限値ＬＬへ下降させるフェードアウトに要する時間（以下、「フェード時間」と呼ぶ。）を表している。
【００３０】
Ｔ＝２ｔf ×照明器具１台当たりの全光源数                …（式１）
また、光源１１ａ1 …を光量の上限値ＵＬで連続点灯させる（以下、「上限連続点灯」と呼ぶ。）ときと、光量の下限値ＬＬで連続点灯させる（以下、「下限連続点灯」と呼ぶ。）ときの時間をそれぞれ上限連続点灯時間ｔH 及び下限連続点灯時間ｔL とすれば、ある時刻において同時に上限連続点灯している光源１１ａ1 …の数（上限連続点灯光源数）、及び同時刻において下限連続点灯している光源１１ｃ1 …の数（下限連続点灯光源数）を用いて下記の式２及び式３のように表される。
【００３１】
ｔH ＝Ｔ×（上限連続点灯光源数／照明器具１台当たりの全光源数）−ｔf …（式２）
ｔL ＝Ｔ×（下限連続点灯光源数／照明器具１台当たりの全光源数）−ｔf …（式３）
本実施形態の場合であれば、照明器具１０1 〜１０3 の１台当たりの光源１１ａ1 …の全光源数が３、上限連続点灯光源数が２、下限連続点灯光源数が１であるから、上記式１〜式３より周期Ｔ、上限連続点灯時間ｔH 及び下限連続点灯時間ｔL は以下のように求まる。
【００３２】
Ｔ  ＝６×ｔf 
ｔH ＝３×ｔf 
ｔL ＝ｔf 
さらに、各照明器具１０1 〜１０3 が具備する光源１１ａ1 …のうちでスイッチング素子Ｑａに接続された光源１１ａ1 ，１１ａ2 ，１１ａ3 は図２（ａ）に示すパターンで、スイッチング素子Ｑｂに接続された光源１１ｂ1 ，１１ｂ2 ，１１ｂ3 は同図（ｂ）に示すパターンで、同じくスイッチング素子Ｑｃに接続された光源１１ｃ1 ，１１ｃ2 ，１１ｃ3 は同図（ｃ）に示すパターンでそれぞれ光量が変化するように制御回路部４が各スイッチング素子Ｑａ〜Ｑｃに調光信号（トリガ信号）を出力して位相制御を行う。このとき、制御回路部４はフェード時間ｔf の２倍の遅延時間ｔd ずつ遅らせながら各スイッチング素子Ｑａ〜Ｑｃに同一の調光信号を出力する（同図（ａ）〜（ｃ）参照）。すなわち、スイッチング素子Ｑａに調光信号を出力して、下限値ＬＬから上限値ＵＬへ光源１１ａ1 ，１１ａ2 ，１１ａ3 のフェードインを開始してから遅延時間ｔd 経過後に、スイッチング素子Ｑｂに全く同じ調光信号を出力して光源１１ｂ1 ，１１ｂ2 ，１１ｂ3 のフェードインを開始し、そこからさらに遅延時間ｔd 経過後にスイッチング素子Ｑｃに同一の調光信号を出力して光源１１ｃ1 ，１１ｃ2 ，１１ｃ3 のフェードインを開始させている。
【００３３】
上述のように、複数の光源１１ａ1 …を同一の光量変化パターンに従って遅延時間ｔd だけ順次遅らせながら制御することにより、照明装置全体としての光量を常に略一定とすることができ、その結果、図２（ｄ）に示すように主照明に用いた場合にも作業面での照度が各光源１１ａ1 …の光量の変化に依らずに略一定となり、作業面におけるちらつきをなくして作業性の低下を防止することができる。しかも、各照明器具１０ａ〜１０ｃの光源１１ａ1 …の光量をそれぞれ連動しながら周期的に変化させるため、光源１１ａ1 …を見ている者に光が揺れ動いているような印象を与え、所謂アイキャッチ効果を得ることができる。
【００３４】
次に、本発明の要旨であるところの作業面照度を変化させる点について説明する。なお、以下の説明における光量は光源１１ａ1 …の定格点灯時の光量を１００％とした数値で表している。
例えば、上述のように光量変化パターンに従って各光源１１ａ1 …を点灯させている場合に、光量変化パターンにおける上限値ＵＬと下限値ＬＬとを、それぞれ１００％から５０％、４０％から２０％へと低下させれば、制御回路部４は上限値ＵＬ’を５０％、下限値ＬＬ’を２０％とする新たな光量変化パターンで各光源１１ａ1 …を点灯させるようにスイッチング素子Ｑａ〜Ｑｃに調光信号（トリガ信号）を出力して位相制御を行う。
【００３５】
すなわち、作業面照度の低下を開始した時刻ｔ0 において上限値ＵＬ（＝１００％）で点灯している光源１１ａ1 ，１１ａ2 ，１１ａ3 、１１ｂ1 ，１１ｂ2 ，１１ｂ3 については、可変手段たる制御回路部４が点灯手段たるスイッチング素子Ｑａ〜Ｑｃを位相制御することにより、所定の移行時間ｔT を費やして直線的にフェードアウトさせて新たな上限値ＵＬ’（＝５０％）まで光量を低下させるとともに、時刻ｔ0 において下限値ＬＬ（＝４０％）で点灯している光源１１ｃ1 ，１１ｃ2 ，１１ｃ3 については、同じく所定の移行時間ｔT を費やして直線的にフェードアウトさせて新たな下限値ＬＬ’（＝２０％）まで光量を低下させる。また、上限値ＵＬ’及び下限値ＬＬ’の変更後も引続き各照明器具１０ａ〜１０ｃの光源１１ａ1 …の光量をそれぞれ連動しながら周期的に変化させている。したがって、図３（ｄ）に示すように上限値ＵＬ’及び下限値ＬＬ’を低下させた後であっても作業面照度は略一定に保たれることになる。
【００３６】
ところで、本実施形態では上述のように作業面照度を変化させる際に、その変化の前後における上限値ＵＬ，ＵＬ’と下限値ＬＬ，ＬＬ’の比率が等しくなるように各光源１１ａ1 …に対する光量変化パターンを変化させている。すなわち本実施形態の場合であれば、変化前の上限値ＵＬと下限値ＬＬの比は５：２であり、変化後の上限値ＵＬ’と下限値ＬＬ’の比も５：２となるように制御回路部４から各光源１１ａ1 …に調光信号を出力して位相制御を行っている。これにより、作業面照度を変化させる動作の前後で、照明器具１０ａ…全体を見たときの全体光量に対する光の明暗の幅が変化の前後で変わることがなく、照明器具１０ａ…を見る者に対して、光源１１ａ1 …の光の見た目の揺らめき感に違和感を与えることなく、作業面照度を変化させることができるという利点がある。但し、本実施形態では作業面照度を低下させる場合について説明したが、作業面照度を上昇させることも可能であることは言うまでもない。また、移行時間ｔT においては必ずしも直線的に光量をフェードさせる必要はなく、どのように設定することも可能である。
【００３７】
なお、本実施形態では３つの光源１１ａ1 …を有する照明器具１０ａ〜１０ｃを３台備え、その光量変化パターンは全光源数が３、上限連続点灯光源数が２及び下限連続点灯光源数が１として求めたが、照明器具１０ａ…の台数や１台の照明器具１０ａ…に具備する光源の数、あるいは上限連続点灯光源数及び下限連続点灯光源数はこれに限定されず、任意の数を選定することができる。つまり、全光源数を２以上とし、これに対して上限連続点灯光源数及び下限連続点灯光源数をどのように割り振るかにより、上記式１〜式３に従ってそれぞれ光量変化パターンが異なってくる。また、これらの設定の変更は光源１１ａ1 …の点灯中であっても可能であり、フェード時間ｔf も自由に選定することができ、フェード時間ｔf を変化させても光量変化パターンそのものは変化しないが、そのことにより得られる効果は異なってくる。
【００３８】
一般に、全光源数に対して上限連続点灯光源数を下限連続点灯光源数より多く設定すれば、照明装置全体としての光量を高くすることができ、主照明として用いた場合にも十分な照度が得られ、室内を明るく照明することができる。また、全光源数に対して上限連続点灯光源数を下限連続点灯光源数より少なく設定すれば、インパクトのある光の揺らめきを演出することができ、照明を見る者に対するアイキャッチ効果をより一層高めることができるという利点がある。
【００３９】
また、各照明器具１０ａ…において点灯させる光源１１ａ1 …の順序を異ならせることも可能である。さらに、制御部１の構成についても、各照明器具１０ａ…の各光源１１ａ1 …の光量を光量変化パターンに従って制御することが可能であれば、本実施形態の構成に限定されない。また、照明器具１０ａ…についても本実施形態のシャンデリア型に限定されず、如何なるタイプの照明器具であっても複数の光源を具備する照明器具であればよい。さらに、本実施形態では光源１１ａ1 …に白熱灯のような電球を用いているが、例えば蛍光ランプ（直管型、所謂コンパクト型、環型など）のように電球以外の他の光源であってもよいことはいうまでもない。また、上記式１〜式３を用いた光量変化パターンの作成は一例であって、これらの式１〜式３に依らずとも光量変化パターンを作成することは可能である。
【００４０】
（実施形態２）
本実施形態は実施形態１と同様の構成において、実施形態１の場合とは異なり上限値ＵＬに対する下限値ＬＬの比率が作業面照度の変化の前後で小さくなるように、制御回路部４にてスイッチング素子Ｑａ〜Ｑｃに調光信号を出力して各光源１１ａ1 …の光量を変化させる点に特徴がある。
【００４１】
例えば、図４に示すように実施形態１と同様の光量変化パターンに従って各光源１１ａ1 …を点灯させている場合に、光量変化パターンにおける上限値ＵＬと下限値ＬＬとを、それぞれ１００％から７０％、４０％から２０％へと低下させれば、制御回路部４は上限値ＵＬ’を７０％、下限値ＬＬ’を２０％とする新たな光量変化パターンで各光源１１ａ1 …の光量を変化させるようにスイッチング素子Ｑａ〜Ｑｃを位相制御する。
【００４２】
すなわち、作業面照度の低下を開始した時刻ｔ0 において上限値ＵＬ（＝１００％）で点灯している光源１１ａ1 ，１１ａ2 ，１１ａ3 、１１ｂ1 ，１１ｂ2 ，１１ｂ3 については、所定の移行時間ｔT を費やして直線的にフェードアウトさせて新たな上限値ＵＬ’（＝７０％）まで光量を低下させるとともに、時刻ｔ0 において下限値ＬＬ（＝４０％）で点灯している光源１１ｃ1 ，１１ｃ2 ，１１ｃ3 については、同じく所定の移行時間ｔT を費やして直線的にフェードアウトさせて新たな下限値ＬＬ’（＝２０％）まで光量を低下させる。また、上限値ＵＬ’及び下限値ＬＬ’の変更後も引続き各照明器具１０ａ〜１０ｃの光源１１ａ1 …の光量をそれぞれ連動しながら周期的に変化させている。したがって、図４（ｄ）に示すように上限値ＵＬ’及び下限値ＬＬ’を低下させた後であっても作業面照度はその低下後のレベルで略一定に保たれることになる。
【００４３】
ところで、本実施形態では上述のように作業面照度を変化させる際に、その変化の前後における上限値ＵＬ，ＵＬ’に対する下限値ＬＬ，ＬＬ’の比率が小さくなるように各光源１１ａ1 …に対する光量変化パターンを変化させている。すなわち本実施形態の場合であれば、変化前の上限値ＵＬに対する下限値ＬＬの比率は５分の２であり、変化後の上限値ＵＬ’と下限値ＬＬ’の比率７分の２となるように制御回路部４から各光源１１ａ1 …に調光信号を出力して位相制御を行っている。これにより、作業面照度を変化させる前後において上限値ＵＬ，ＵＬ’と下限値ＬＬ，ＬＬ’の間の変化幅Ｂ（＝ＵＬ−ＵＬ’），Ｂ’（＝ＬＬ−ＬＬ’）が大きくなり、照明全体を見たときに全体光量に対する光の明暗の幅が作業面照度の変化の前よりも後の方が大きくなる。よって、照明を見る者（使用者）に対する光の見た目の揺らめき感が強くなるように、作業面照度を変化させることができる。つまり、本実施形態は、一般に作業面照度が比較的に暗い時でも照明を見る者に対して強いアイキャッチ効果を与えるような、揺らめき感を前面に押し出した演出がしたいという場合に有効である。
【００４４】
また、極端な例として、図５に示すように作業面照度を変化させる際に下限値ＬＬ’のみを変化させ、上限値ＵＬ’は作業面照度の変化の前後で等しい値（ＵＬ＝ＵＬ’）となるように各光源１１ａ1 …の光量を制御するようにしてもよい。
この場合にも上記と同様の効果を奏するとともに、各光源１１ａ1 …が発する光量の最高値が作業面照度の変化の前後で略一定に保たれるので、作業面照度の変化後においても、照明の見た目の明るさの印象をあまり変えることなく、作業面照度を変化させることができるという利点がある。つまり、照明を見る者に気付かせないように、作業面照度を変化させたい場合に特に有効である。
【００４５】
なお、本実施形態では作業面照度を低下させる場合について説明したが、作業面照度を上昇させることも可能であることは言うまでもない。また、移行時間ｔT においては必ずしも直線的に光量をフェードさせる必要はなく、どのように設定することも可能である。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００４６】
（実施形態３）
本実施形態は実施形態１と同様の構成において、実施形態２の場合とは逆に上限値ＵＬに対する下限値ＬＬの比率が作業面照度の変化の前後で大きくなるように、制御回路部４にてスイッチング素子Ｑａ〜Ｑｃに調光信号を出力して各光源１１ａ1 …の光量を変化させる点に特徴がある。
【００４７】
例えば、図６に示すように実施形態１と同様の光量変化パターンに従って各光源１１ａ1 …を点灯させている場合に、光量変化パターンにおける上限値ＵＬと下限値ＬＬとを、それぞれ１００％から５０％、４０％から３０％へと低下させれば、制御回路部４は上限値ＵＬ’を５０％、下限値ＬＬ’を３０％とする新たな光量変化パターンで各光源１１ａ1 …の光量を変化させるようにスイッチング素子Ｑａ〜Ｑｃを位相制御する。
【００４８】
すなわち、作業面照度の低下を開始した時刻ｔ0 において上限値ＵＬ（＝１００％）で点灯している光源１１ａ1 ，１１ａ2 ，１１ａ3 、１１ｂ1 ，１１ｂ2 ，１１ｂ3 については、所定の移行時間ｔT を費やして直線的にフェードアウトさせて新たな上限値ＵＬ’（＝５０％）まで光量を低下させるとともに、時刻ｔ0 において下限値ＬＬ（＝４０％）で点灯している光源１１ｃ1 ，１１ｃ2 ，１１ｃ3 については、同じく所定の移行時間ｔT を費やして直線的にフェードアウトさせて新たな下限値ＬＬ’（＝３０％）まで光量を低下させる。また、上限値ＵＬ’及び下限値ＬＬ’の変更後も引続き各照明器具１０ａ〜１０ｃの光源１１ａ1 …の光量をそれぞれ連動しながら周期的に変化させている。したがって、図６（ｄ）に示すように上限値ＵＬ’及び下限値ＬＬ’を低下させた後であっても作業面照度はその低下後のレベルで略一定に保たれることになる。
【００４９】
ところで、本実施形態では上述のように作業面照度を変化させる際に、その変化の前後における上限値ＵＬ，ＵＬ’に対する下限値ＬＬ，ＬＬ’の比率が大きくなるように各光源１１ａ1 …に対する光量変化パターンを変化させている。すなわち本実施形態の場合であれば、変化前の上限値ＵＬに対する下限値ＬＬの比率は５分の２であり、変化後の上限値ＵＬ’と下限値ＬＬ’の比は５分の３となるように制御回路部４から各光源１１ａ1 …に調光信号を出力して位相制御を行っている。これにより、作業面照度を変化させる前後において上限値ＵＬ，ＵＬ’と下限値ＬＬ，ＬＬ’の間の変化幅Ｂ（＝ＵＬ−ＵＬ’），Ｂ’（＝ＬＬ−ＬＬ’）が小さくなり、照明全体を見たときに全体光量に対する光の明暗の幅が作業面照度の変化の前よりも後の方が小さくなる。よって、照明を見る者（使用者）に対する光の見た目の揺らめき感を抑えるように、作業面照度を変化させることができる。つまり、本実施形態は、一般に作業面照度が比較的に暗い時には、揺らめき感を抑えた演出がしたいという場合に有効である。
【００５０】
また、極端な例として、図７に示すように作業面照度を変化させる際に上限値ＵＬ’のみを変化させ、下限値ＬＬ’は作業面照度の変化の前後で等しい値（ＬＬ＝ＬＬ’）となるように各光源１１ａ1 …の光量を制御するようにしてもよい。
この場合にも上記と同様の効果を奏するとともに、各光源１１ａ1 …が発する光量の最低値が作業面照度の変化の前後で略一定に保たれるので、作業面照度の変化後においても、作業面照度を大きく変化させることなく、照明の見た目の明るさの印象を変えることができるという利点がある。つまり、作業面照度をあまり変化させずに、照明の見た目の印象だけを変化させたい場合に特に有効である。
【００５１】
なお、本実施形態では作業面照度を低下させる場合について説明したが、作業面照度を上昇させることも可能であることは言うまでもない。また、移行時間ｔT においては必ずしも直線的に光量をフェードさせる必要はなく、どのように設定することも可能である。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００５２】
（実施形態４）
本実施形態は実施形態１と同様の構成において、上限値ＵＬと下限値ＬＬの間の変化幅Ｂが作業面照度の変化の前後で等しくなるように、制御回路部４にてスイッチング素子Ｑａ〜Ｑｃに調光信号を出力して各光源１１ａ1 …の光量を変化させる点に特徴がある。
【００５３】
例えば、図８に示すように実施形態１と同様の光量変化パターンに従って各光源１１ａ1 …を点灯させている場合に、光量変化パターンにおける上限値ＵＬと下限値ＬＬとを、それぞれ１００％から７０％、４０％から１０％へと低下させれば、制御回路部４は上限値ＵＬ’を７０％、下限値ＬＬ’を１０％とする新たな光量変化パターンで各光源１１ａ1 …の光量を変化させるようにスイッチング素子Ｑａ〜Ｑｃを位相制御する。
【００５４】
すなわち、作業面照度の低下を開始した時刻ｔ0 において上限値ＵＬ（＝１００％）で点灯している光源１１ａ1 ，１１ａ2 ，１１ａ3 、１１ｂ1 ，１１ｂ2 ，１１ｂ3 については、所定の移行時間ｔT を費やして直線的にフェードアウトさせて新たな上限値ＵＬ’（＝７０％）まで光量を低下させるとともに、時刻ｔ0 において下限値ＬＬ（＝４０％）で点灯している光源１１ｃ1 ，１１ｃ2 ，１１ｃ3 については、同じく所定の移行時間ｔT を費やして直線的にフェードアウトさせて新たな下限値ＬＬ’（＝１０％）まで光量を低下させる。また、上限値ＵＬ’及び下限値ＬＬ’の変更後も引続き各照明器具１０ａ〜１０ｃの光源１１ａ1 …の光量をそれぞれ連動しながら周期的に変化させている。したがって、図８（ｄ）に示すように上限値ＵＬ’及び下限値ＬＬ’を低下させた後であっても作業面照度は略一定に保たれることになる。
【００５５】
ところで、本実施形態では上述のように作業面照度を変化させる際に、その変化の前後における上限値ＵＬ，ＵＬ’と下限値ＬＬ，ＬＬ’の間の変化幅Ｂ，Ｂ’が等しくなるように各光源１１ａ1 …に対する光量変化パターンを変化させている。すなわち本実施形態の場合であれば、変化前の変化幅Ｂが１００％−４０％＝６０％であるから、変化後の変化幅Ｂ’も７０％−１０％＝６０％となるように制御回路部４から各光源１１ａ1 …に調光信号を出力して位相制御を行っている。これにより、作業面照度を変化させる動作の前後で、上限値ＵＬ，ＵＬ’に対する下限値ＬＬ，ＬＬ’の比率は異なるが、上限値ＵＬ，ＵＬ’と下限値ＬＬ，ＬＬ’の間の変化幅Ｂ，Ｂ’が等しく保たれるので、作業面照度を変化させても、見た目の絶対的な光の揺らめき感は、作業面照度の変化の前後で変わることがなく、持続させることができるという利点がある。そのため、一般に作業面照度の大小によらず、照明を見る者に対して、アイキャッチ効果を常に持続して与えるような演出がしたいという場合に本実施形態は有効である。
【００５６】
但し、本実施形態では作業面照度を低下させる場合について説明したが、作業面照度を上昇させることも可能であることは言うまでもない。また、移行時間ｔT においては必ずしも直線的に光量をフェードさせる必要はなく、どのように設定することも可能である。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００５７】
（実施形態５）
上記実施形態１〜４においては作業面照度の変化の前後における光量変化パターンが上限値ＵＬ，ＵＬ’及び下限値ＬＬ，ＬＬ’以外は同一であったのに対して、本実施形態は実施形態１と同様の構成において、作業面照度の変化後の光量変化パターンを変化前の光量変化パターンと異なるものとした点に特徴がある。
【００５８】
例えば、図９に示すように実施形態１と同様の光量変化パターンに従って各光源１１ａ1 …を点灯させている場合に、光量変化パターンにおける上限値ＵＬと下限値ＬＬはそのままで上限連続点灯時間ｔH を略ゼロ、下限連続点灯時間ｔL を若干長くした新たな光量変化パターンで各光源１１ａ1 …の光量を変化させるように、可変手段たる制御回路部４によってスイッチング素子Ｑａ〜Ｑｃを位相制御する。上記新たな光量変化パターンは全体光量が変化前の全体光量よりも低くなるように設定してあり、光量変化パターンの変更によって当然作業面照度を低下させることができる。なお、光量変化パターンはこれらに限られるものでないことは言うまでもなく、全体光量が略一定で互いに異なる２種類以上の光量変化パターンに従って光源１１ａ1 …を位相制御するようにすればよい。
【００５９】
本実施形態は、一般に作業面照度を変える度に、照明を見る者（使用者）に与える、きらびやかさ華やかさと言ったアイキャッチ効果を変えて演出がしたいという場合に有効である。
但し、本実施形態では作業面照度を低下させる場合について説明したが、作業面照度を上昇させることも可能であることは言うまでもない。また、移行時間ｔT においては必ずしも直線的に光量をフェードさせる必要はなく、どのように設定することも可能である。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００６０】
（実施形態６）
本実施形態は実施形態１と同様の構成において、作業面照度の変化の前後において、上限連続点灯光源数と下限連続点灯光源数の比を異ならせるようにした点に特徴がある。
例えば、図１０（ａ）〜（ｅ）に示すように全光源数を５、上限連続点灯光源数を４、下限連続点灯光源数を１としたときの光量変化パターンに従った光量の制御が行われている場合に、上限値ＵＬ及び下限値ＬＬはそのままで上限連続点灯光源数を３、下限連続点灯光源数を２としたときの光量変化パターンに変化させれば、ある時点において連続点灯している光源数が減少するために全体の光量が低下し、その結果、作業面照度も低下することになる（同図（ｆ）参照）。そのため、一般に、作業面照度の変化の前後で揺らめき度合をそのまま保ち、段階的に作業面照度を変えるような演出がしたいという場合に有効である。
【００６１】
ここで、実施形態１で説明した光量変化パターンを設定するための式１〜式３を記憶し、上限連続点灯光源数と下限連続点灯光源数とをパラメータとして各光源毎の光量変化パターンをその都度計算によって求め、その求めた光量変化パターンに従って各光源の光量の制御を行うような機能を、例えば制御回路部４に持たせるようにすれば、使用者が段階的に作業面照度を変化させる操作の際に、その操作と連動して上限連続点灯光源数および下限連続点灯光源数を上記式１〜式３に入力し直すことで、上限値ＵＬおよび下限値ＬＬを変えることなく、作業面照度を変化させることができる。これにより、複数種類の光量変化パターンを記憶しておく必要がないので、光量変化パターンを記憶させておくためのメモリの容量も軽減され、コストダウンにつながるという利点がある。なお、光量変化パターンはこれらに限られるものでないことは言うまでもなく、全体光量が略一定で互いに異なる２種類以上の光量変化パターンに従って光源１１ａ1 …を位相制御するようにすればよい。
【００６２】
さらに、上限連続点灯光源数および下限連続点灯光源数を使用者が任意に設定できる機能を制御部１に持たせるようにすれば、例えば、５灯用の照明器具で３灯だけを点灯させて２灯を消灯しておきたいというような場合にも、簡単に光量変化パターンを変えることができ、なおかつ、作業面照度を略一定に保つことができるので、他の照明器具との連動等の用途を広げることができ、また、省エネが図れる使用も可能となる。
【００６３】
但し、本実施形態では作業面照度を低下させる場合について説明したが、作業面照度を上昇させることも可能であることは言うまでもない。また、移行時間ｔT においては必ずしも直線的に光量をフェードさせる必要はなく、どのように設定することも可能である。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００６４】
（実施形態７）
本実施形態は実施形態１と同様の構成において、光量変化パターンにおける上限連続点灯時間ｔH と下限連続点灯時間ｔL とを作業面照度の変化の前後で反転させて光量変化パターンを変化させる点に特徴がある。つまり、作業面照度を変化させた後の上限連続点灯時間ｔH ’及び下限連続点灯時間ｔL ’と、変化前の上限連続点灯時間ｔH 及び下限連続点灯時間ｔL との間に、ｔH ’＝ｔL 、ｔL ’＝ｔH なる関係が成立するような新たな光量変化パターンで各光源１１ａ1 …の光量を制御している。但し、全光源数を４、上限連続点灯光源数及び下限連続点灯光源数をともに２とした光量変化パターンの場合には、上限連続点灯時間ｔH と下限連続点灯時間ｔL が等しくなるために上限連続点灯時間ｔH と下限連続点灯時間ｔL とを反転させても作業面照度が変化しないので、このような場合は除かれる。
【００６５】
例えば、図１１に示すように実施形態１と同様の光量変化パターンに従って各光源１１ａ1 …を点灯させている場合に、光量変化パターンにおける上限値ＵＬと下限値ＬＬはそのままで下限連続点灯時間ｔL ’を上限連続点灯時間ｔH と等しい値、上限連続点灯時間ｔH ’を下限連続点灯時間ｔL と等しい値にそれぞれを変更した新たな光量変化パターンで各光源１１ａ1 …の光量を変化させるように、制御回路部４によってスイッチング素子Ｑａ〜Ｑｃを位相制御する。すなわち、本実施形態の場合であれば、ｔH ＞ｔL であることから新たな光量変化パターンにおいてはｔH ’＜ｔL ’となり、光量変化パターンの変更によって当然に作業面照度を低下させることができる（図１１（ｄ）参照）。なお、光量変化パターンはこれらに限られるものでないことは言うまでもない。
【００６６】
本実施形態は、一般に作業面照度を暗くしても、揺らめき度合をそのまま保ち、光の揺らめき感にインパクトを与えるような演出がしたいという場合に有効である。また、１種類の光量変化パターンとその上限連続点灯時間ｔH と下限連続点灯時間ｔL とを入れ換えて反転させる機能を制御回路部４に持たせるようにすれば、複数種の光量変化パターンを記憶させておく必要がなく、実施形態６に比較してメモリ容量を大幅に低減させることができ、さらなるコストダウンが可能となるという利点がある。
【００６７】
但し、本実施形態では作業面照度を低下させる場合について説明したが、作業面照度を上昇させることも可能であることは言うまでもない。但し、作業面照度を上昇させる場合にはその変化の前後で光の揺らめき感のインパクトは減少するが、全体光量を大きくすることで主照明に用いられた場合にも充分な光量が得られ、室内を明るく演出することができる。また、移行時間ｔT においては必ずしも直線的に光量をフェードさせる必要はなく、どのように設定することも可能である。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００６８】
（実施形態８）
上記実施形態１〜７においては、作業面照度を変化させる際の移行時間ｔT 内での各光源１１ａ1 …の光量を一定の割合で直線的に変化させている。それに対して本実施形態は、実施形態１と同様の構成において、作業面照度を変化させる際の移行時間ｔT 内でフェード時間ｔf を維持しながら各光源１１ａ1 …の光量を上限値と下限値の間で周期的に変化させ、最終的に異なる上限値ＵＬ’及び下限値ＬＬ’を有する新たな光量変化パターンに移行させる点に特徴がある。
【００６９】
例えば、図１２に示すように上限値ＵＬ（＝１００％）及び下限値ＬＬ（＝４０％）をそれよりも低い上限値ＵＬ’（＝５０％）及び下限値ＬＬ’（＝２０％）とする新たな光量変化パターンに変更することで作業面照度を低下させる実施形態１の場合において、作業面照度の変更前の上限値ＵＬから変更後の上限値ＵＬ’まで直線的に低下する上限値（以下、これを「過渡上限値」と呼ぶ。）ＴＵＬと、変更前の下限値ＬＬから変更後の下限値ＬＬ’まで直線的に低下する下限値（以下、これを「過渡下限値」と呼ぶ。）ＴＬＬとをそれぞれ上限値及び下限値とするとともに変更前と同一の周期Ｔで光量を変化させる光量変化パターンにて移行時間ｔT 内で各光源１１ａ1 …の光量を制御している。
【００７０】
したがって、移行時間ｔT における過渡上限値ＴＵＬ及び過渡下限値ＴＬＬは、変更前の上限値ＵＬと変更後の上限値ＵＬ’とを結ぶ直線、変更前の下限値ＵＬ及び変更後の下限値ＬＬ’とを結ぶ直線に沿ってそれぞれ低下し、これらの直線を上回る或いは下回る光量を発することがないように各光源１１ａ1 …が制御される。なお、本実施形態では、実施形態１と同様に作業面照度の変化の前後で上限値ＵＬ，ＵＬ’に対する下限値ＬＬ，ＬＬ’の比率を等しくしているが、これに限らず上記比率を変化させるようにしてもよい。
【００７１】
また、光量変化パターンに従って複数の光源１１ａ1 …を点灯させるモード（以下、これを「ゆらぎ点灯モード」と呼ぶ。）と、全光源を一定の光量で連続して点灯させるモード（以下、これを「連続点灯モード」と呼ぶ。）とで切り換える場合には、変更後の上限値ＵＬ’及び下限値ＬＬ’が同じ連続点灯モードの光量値ＳＬに移行すると考えればよく、上記と同様にゆらぎ点灯モードから連続点灯モードへ移行する移行時間ｔT 内でフェード時間ｔf を維持しながら各光源１１ａ1 …の光量を上限値と下限値の間で周期的に変化させ、最終的に連続点灯モードの光量値ＳＬへ移行するように、切換可変手段たる制御回路部４によって各光源１１ａ1 …の光量が制御される（図１３参照）。なお、連続点灯モードからゆらぎ点灯モードへのモードの切り換えも同様に可能であることはいうまでもない。
【００７２】
本実施形態によれば、作業面照度を変化させたりゆらぎ点灯モードと連続点灯モードの間でモードを変更する際の移行時間ｔT 内においても、各光源１１ａ1 …の周期的な光量の変化が継続され、そのような光量の変化が急に途切れたり変わったりすることがなく、移行動作が自然に行われ、照明を見る者（使用者）に対して違和感を与えることなく、照度を変化させることができるという利点がある。また、移行時間ｔT における作業面照度が直線的に変化するから、照明下にいる者に対して、移行時間ｔT 内における照度のゆれやチラツキによる不安感や不快感を与えることがなく作業面照度を変化させることができる。
【００７３】
但し、本実施形態では作業面照度を低下させる場合について説明したが、作業面照度を上昇させることも可能であることは言うまでもない。また、移行時間ｔT においては必ずしも直線的に光量をフェードさせる必要はなく、どのように設定することも可能である。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００７４】
（実施形態９）
上記実施形態８は点灯モードを切り換える際に切換後の作業面照度を変更前の作業面照度よりも低くするものであったが（図１３参照）、本実施形態では、作業面照度を変化させることなく点灯モードのみを切り換える点に特徴がある。つまり、ゆらぎ点灯モードから連続点灯モードへ点灯モードを切り換える場合、あるいは連続点灯モードからゆらぎ点灯モードへ点灯モードを切り換える場合に切換前後において作業面における照度が異なっていると、この照明下で作業する者に違和感を与えることになる。
【００７５】
そこで、本実施形態では、ゆらぎ点灯モードにおける照明装置全体の光源の全光量値（この光量値は時間によらずに略一定である。）を制御回路部４において予め求めておき、連続点灯モードへ切り換えたときに求めた光量値を全光源数で除した光量値が各光源から得られるように各光源の光量を制御するようにしている。さらにそれに加えて、実施形態８と同様に点灯モードの切り換えに伴う移行時間ｔT 内でフェード時間ｔf を維持しながら各光源１１ａ1 …の光量を上限値と下限値の間で周期的に変化させ、最終的に連続点灯モードの光量値ＳＬへ移行するように、切換手段たる制御回路部４によってスイッチング素子Ｑａ〜Ｑｃが位相制御されて各光源１１ａ1 …の光量が制御される（図１４参照）。つまり、本実施形態の場合には、ゆらぎ点灯モード時の上限値ＵＬが１００％、下限値が４０％であるのに対して、連続点灯モード時の光量値ＳＬは８０％となり、このとき作業面照度は移行時間ｔT 内を含めて常に一定となる。
【００７６】
本実施形態によれば、実施形態８と同様にゆらぎ点灯モードと連続点灯モードとの切り換えに伴う移行動作が自然に行われ、照明を見る者（使用者）に対して違和感を与えることがなく、さらに、点灯モードの切り換えの前後とその間の移行時間ｔT 内を通して作業面照度を時間的に常に略一定とし、照明下にいる者に気付かせることなく、点灯モードの切り換えを行うことができるという利点がある。
【００７７】
なお、本実施形態ではゆらぎ点灯モードから連続点灯モードへの切り換えの場合について説明したが、これとは逆に連続点灯モードからゆらぎ点灯モードへの切り換えも同様に可能であって、前もって変化の全体光量を求めることのできる機能と、ゆらぎ点灯モードから連続点灯モードへの切り換えの際に切り換え後の各光源１１ａ1 …の光量を、全体光量が等しくなり、かつ、予め決められた光量変化パターンに適合するように各光源１１ａ1 …の上限値ＵＬおよび下限値を算出して割り振るような機能とを制御回路部４に持たせておけばよい。
【００７８】
また、本実施形態では作業面照度を低下させる場合について説明したが、作業面照度を上昇させることも可能であることは言うまでもない。また、移行時間ｔT においては必ずしも直線的に光量をフェードさせる必要はなく、どのように設定することも可能である。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００７９】
（実施形態１０）
実施形態８においては、作業面照度の変化前の上限値ＵＬから変化後の上限値ＵＬ’まで直線的に低下する過渡上限値ＴＵＬと、変化前の下限値ＬＬから変化後の下限値ＬＬ’まで直線的に低下する過渡下限値ＴＬＬとをそれぞれ上限値及び下限値とするとともに変化前と同一の周期Ｔで光量を変化させる光量変化パターンにて移行時間ｔT 内で各光源１１ａ1 …の光量を制御しているのに対して、本実施形態は略一定の過渡上限値ＴＵＬ1 …及び過渡下限値ＴＬＬ1 …を段階的に低下させるような光量変化パターンで作業面照度を変化させる点に特徴がある。
【００８０】
例えば、図１５に示すように上限値ＵＬ（＝１００％）及び下限値ＬＬ（＝４０％）をそれよりも低い上限値ＵＬ’（＝５０％）及び下限値ＬＬ’（＝２０％）とする新たな光量変化パターンに変更することで作業面照度を低下させる実施形態１の場合において、移行時間ｔT 内における過渡上限値ＴＵＬ1 ，ＴＵＬ2 ，…を上限値ＵＬから一周期毎に１０％ずつ最終的な上限値ＵＬ’まで低下させるとともに、過渡下限値ＴＬＬ1 ，ＴＬＬ2 ，…を下限値ＬＬから一周期毎に５％ずつ最終的な下限値ＴＬＬ’まで低下させるような光量変化パターンにて、移行時間ｔT 内で切換可変手段たる制御回路部４によって各光源１１ａ1 …の光量を制御している。その結果、移行時間ｔT 内における作業面照度もまた段階的に低下することになる（図１５（ｄ）参照）。
【００８１】
本実施形態によれば、移行時間ｔT 内においても各光源１１ａ1 …の光量の変化は継続されるため、光量の変化が急に途切れたり、変わったりすることがなく、そのために作業面照度の変更に伴う移行動作が自然であり、照明を見る者（使用者）に対して違和感を与えることなく、作業面照度を変化させることができる。また、実施形態８とは異なり、移行時間ｔT 内における上限連続点灯時及び下限連続点灯時には一定の光量値で連続点灯させているので、各光源１１ａ1 …が常に光量を変化させているということがなく、照明を見る者（使用者）に対して光量が変化しているという印象を与えにくく、それによって室内にいる者に気づかれないように、比較的小さな作業面の照度を変化させる場合に本実施形態は特に有効である。
【００８２】
但し、本実施形態では作業面照度を低下させる場合について説明したが、作業面照度を上昇させることも可能であることは言うまでもない。また、実施形態１と同様に作業面照度の変化の前後で上限値ＵＬ，ＵＬ’に対する下限値ＬＬ，ＬＬ’の比率を等しくしているが、これに限らず上記比率を変化させるようにしてもよい。さらに、照明器具１０ａ…の台数や１台の照明器具１０ａ…に具備する光源の数、あるいは上限連続点灯光源数及び下限連続点灯光源数は本実施形態に限定されず、任意の数を選定することができる。
【００８３】
（実施形態１１）
実施形態９においては、作業面照度を変化させることなく点灯モードをゆらぎ点灯モードから連続点灯モードへ切り換える際に、点灯モードの切り換えに伴う移行時間ｔT 内でフェード時間ｔf を維持しながら各光源１１ａ1 …の光量を上限値と下限値の間で周期的に変化させ、最終的に連続点灯モードの光量値ＳＬへ移行するように各光源１１ａ1 …の光量を制御しているのに対して、本実施形態は略一定の過渡上限値ＴＵＬ1 …及び過渡下限値ＴＬＬ1 …を段階的に低下及び上昇させるような光量変化パターンに従って点灯モードを切り換える点に特徴がある。
【００８４】
例えば、移行時間ｔT 内でフェード時間ｔf を維持しながら各光源１１ａ1 …の光量を上限値と下限値の間で周期的に変化させ、最終的に連続点灯モードの光量値ＳＬへ移行する実施形態８の場合において、図１６に示すように移行時間ｔT 内における過渡上限値ＴＵＬ1 ，ＴＵＬ2 ，…を、ゆらぎ点灯モードにおける上限値ＵＬ（＝１００％）から一周期毎に５％ずつ連続点灯モードの光量値ＳＬ（＝８０％）まで低下させるとともに、過渡下限値ＴＬＬ1 ，ＴＬＬ2 ，…を、ゆらぎ点灯モードにおける下限値ＬＬ（＝４０％）から一周期毎に１０％ずつ連続点灯モードの光量値ＳＬ（＝８０％）まで上昇させるような光量変化パターンにて移行時間ｔT 内で各光源１１ａ1 …の光量を制御している。言い換えれば、移行時間ｔT 内において時間的に早く行われる光源１１ａ1 …のフェードから順に、一定の割合でフェードの上限値（過渡上限値ＴＵＬ1 …）と下限値（過渡下限値ＴＬＬ1 …）の変化幅ＴＢ1 …を一周期毎に徐々に小さくしていくことにより、最終的には全ての光源１１ａ1 …の変化幅が０になることで連続点灯モードヘの移行（切り換え）が完了するものである。
【００８５】
図１６を参照してさらに詳しく説明する。ここで、時刻ｔ0 にてゆらぎ点灯モードから連続点灯モードへの点灯モードの切り換えを開始したとすると、まず、図１６（ｂ）の光量変化パターンに従って制御される光源１１ｂ1 ，１１ｂ2 ，１１ｂ3 と、同図（ｃ）の光量変化パターンに従って制御される光源１１ｃ1 ，１１ｃ2 ，１１ｃ3 とをクロスフェードさせる。なお、クロスフェードとは、一方の光源群１１ｂ1 …をフェードイン、他方の光源群１１ｃ1 …をフェードアウトさせることをいう。このとき、光源群１１ｂ1 …のフェードインにおける光量の変化幅ＴＢ1 を、ゆらぎ点灯モードにおける光量の変化幅Ｂ（＝６０％）より５％だけ小さい値（＝５５％）とする。
【００８６】
次に、光源群１１ｃ1 …と、図１６（ａ）の光量変化パターンに従って制御される光源１１ａ1 ，１１ａ2 ，１１ａ3 の光源群とをクロスフェードさせる。このときには、その直前に行われたクロスフェードの変化幅ＴＢ1 （＝５５％）よりもさらに５％だけ小さい変化幅ＴＢ2 （＝５０％）でそれぞれフェードイン及びフェードアウトさせる。同様に、一周期毎にクロスフェードの変化幅ＴＢ3 …を一定の割合（＝５％）で小さくすることにより、クロスフェードの変化幅ＴＢｎが０％となる時刻ｔ1 の時点で点灯モードの切り換えが完了する。したがって、フェード時間ｔf 、点灯モードの切り換え前の変化幅Ｂ、移行時間ｔT （＝ｔ1 −ｔ0 ）内の変化幅ＴＢ1 …を減小していく割合等によって、移行時間ｔT は一義的に決定される。
【００８７】
本実施形態によれば、上述のように一周期毎にクロスフェードの変化幅ＴＢ1 …を一定の割合（＝５％）で小さくするという法則に従って点灯モードの切り換えを行うことにより、過渡上限値ＴＵＬ1 …及び過渡下限値ＴＬＬ1 …は必ず決まった光量値ＳＬへ収束し、その値が点灯モードの切り換えの前後において全体光量が等しくなるような一定光量値となるため、点灯モードの切り換えの前後における作業面照度を一定にすることができ、しかも、移行時間ｔT 内の全体光量が点灯モードの切り換え前と等しくなるので、移行時間ｔT 内における作業面照度を含め、ゆらぎ点灯モードと連続点灯モードの点灯モードの切り換えの前後で作業面照度を一定にすることができる。その結果、ゆらぎ点灯モードから連続点灯モードへの切り換えに伴う移行時間ｔT 内においても、各光源１１ａ1 …の光量の変化（ゆらぎ点灯）が継続され、光量の変化が急に途切れたり、変わったりすることがなく、点灯モードの移行動作が自然に行われ、照明を見る者（使用者）に対して違和感を与えることがないという利点がある。さらに、本実施形態によれば、作業面照度を変えずに点灯モードを切り変えることが可能であり、照明下にいる者に気付かせることなく、点灯モードの切り換えを行うことができるという利点もある。
【００８８】
なお、本実施形態ではゆらぎ点灯モードから連続点灯モードへの切り換えの場合について説明したが、連続点灯モードからゆらぎ点灯モードへの逆の切り換えの場合についても同様の利点があることは明らかである。また、照明器具１０ａ…の台数や１台の照明器具１０ａ…に具備する光源の数、あるいは上限連続点灯光源数及び下限連続点灯光源数は本実施形態に限定されず、任意の数を選定することができることは言うまでもない。
【００８９】
（実施形態１２）
本実施形態の基本的な構成は実施形態１と共通であるから図示及び説明は省略し、本実施形態の特徴となる部分についてのみ説明する。つまり、本実施形態は、作業面照度を変化させる場合の移行時間ｔT を任意の値に設定可能とし、設定された移行時間ｔT の大小に応じて、移行時間ｔT 内における各光源１１ａ1 …の光量の変化パターンを切り換える点に特徴がある。なお、移行時間ｔT の切り換えはスイッチなどの設定手段を制御部１に設け、この設定手段によって設定された移行時間ｔT の認識や変化パターンの切り換え等は制御回路部４にて行われる。
【００９０】
例えば、上限値ＵＬ（＝１００％）及び下限値ＬＬ（＝４０％）をそれよりも低い上限値ＵＬ’（＝５０％）及び下限値ＬＬ’（＝２０％）とする新たな光量変化パターンに変更することで作業面照度を低下させる実施形態１の場合において、設定された移行時間ｔT がしきい値Ａよりも大きい場合には、図１７に示すように実施形態８で説明した光量の変化パターン、すなわち作業面照度の変更前の上限値ＵＬから変更後の上限値ＵＬ’まで直線的に低下する過渡上限値ＴＵＬと、変更前の下限値ＬＬから変更後の下限値ＬＬ’まで直線的に低下する過渡下限値ＴＬＬとをそれぞれ上限値及び下限値とするとともに変更前と同一の周期Ｔ及びフェード時間ｔf を維持しながら光量を変化させる光量変化パターンにて移行時間ｔT 内で各光源１１ａ1 …の光量を制御する。
【００９１】
一方、設定された移行時間ｔT がしきい値Ａよりも小さい場合には、図１８に示すように、実施形態１と同様に上限値ＵＬ及び下限値ＬＬをそれぞれ直線的に上限値ＵＬ’及び下限値ＬＬ’まで低下させる光量変化パターンにて移行時間ｔT 内で各光源１１ａ1 …の光量を制御する。
本実施形態によれば、作業面照度を変化させる場合の移行時間ｔT を任意の値に設定可能とし、設定された移行時間ｔT の大小に応じて、移行時間ｔT 内における各光源１１ａ1 …の光量の変化パターンを切り換えるようにしたため、使用者は、移行時間ｔT を調節することで作業面照度を変化させる操作や、点灯モードを切り変える操作等における移行時間ｔT 内の各光源１１ａ1 …の光量の変化パターンを選択することができる。一般に、移行時間ｔT が比較的に短い場合（しきい値Ａ以下の場合）は、各光源１１ａ1 …の光量が時間に対して一定の割合で変化するような簡単な移行動作でも、照明を見る者にはそれほど違和感を与えることがない。但し、移行時間ｔT がフェード時間ｔf より短い場合は、このような方法で各光源１１ａ1 …の光量を変化させることが望ましい。また、移行時間ｔT が比較的に長い場合（しきい値Ａ以上の場合）は、フェード時間ｔf を維持しながら各光源１１ａ1 …の光量を変化させるようにすることで、変化の際に照明を見る者に対して違和感を与えることなく移行できるという利点がある。さらに、移行時間ｔT を長くすることで照明を見る者に変化を気づかせないようにすることができる。また、しきい値Ａを使用者によって設定可能とすれば、照明装置の使用状態や使用環境等によって、あるいは使用者の好みによって、照明の演出効果を変えることも可能となり、このような照明装置の用途が広がるという利点がある。
【００９２】
なお、本実施形態では作業面照度を低下させる場合について例示したが、作業面照度を上昇させる場合や点灯モードを切り換える場合、あるいは作業面照度を変化させながら点灯モードを切り換えるような場合にも適用可能であることは言うまでもない。また、照明器具１０ａ…の台数や１台の照明器具１０ａ…に具備する光源の数、あるいは上限連続点灯光源数及び下限連続点灯光源数は本実施形態に限定されず、任意の数を選定することができる。
【００９３】
（実施形態１３）
本実施形態は、図１９に示すように赤色の光色を有する赤色光源２１1 〜２１3 と、緑色の光色を有する緑色光源２２1 〜２２3 と、青色の光色を有する青色光源２３1 〜２３3 とを３つずつ具備した照明器具２０を備えており、各光源２１1 …の光量の制御を行う構成については実施形態１と共通であるから図示は省略する。
また、本実施形態では、赤色光源２１1 〜２１3 の光量を図２０（ａ）〜（ｃ）に示した光量変化パターンに従って変化させ、緑色光源２２1 〜２２3 の光量を同図（ｅ）〜（ｇ）に示した光量変化パターンに従って変化させるとともに、青色光源２３1 〜２３3 の光量を同図（ｉ）〜（ｋ）に示した光量変化パターンに従って変化させている。すなわち、同色の光源２１1 …，２２1 …，２３1 …同士については同一の上記光量変化パターンに従って遅延時間ｔd だけずらしながら光量を変化させ、異種の光源２１1 …については周期Ｔを等しくした上記光量変化パターンに従って光量を変化させている。そのため、各光色毎の全体光量は時間的に常に一定となり（同図（ｄ），（ｈ），（ｌ）参照）、各色の光源２１1 …，２２1 …，２３1 …から発する光が合成された作業面での照度も時間的に一定となる（同図（ｍ）参照）。しかも、照明器具２０の発光面を見れば、各色の光源２１1 …，２２1 …，２３1 …の光量の変化により色彩豊かな光の変化を行うことができる。
【００９４】
次に、作業面照度を変化させる場合について説明する。本実施形態では、作業面照度を変化させる前後において、変化前の各光色毎の全体光量に対する変化後の各光色毎の全体光量の比率が各光色について全て等しくなるように、制御回路部４にて各光色の光源２１1 …，２２1 …，２３1 …毎に光量変化パターンを変更する。
【００９５】
例えば、図２０（ａ）〜（ｃ）に示すように、赤色光源２１1 〜２１3 の全体光量（３つの光量レベルの和）が変化前において１４０％であり、変化後で７０％であるようにすれば、その比率は５０％である（同図（ｄ）参照）。このとき、緑色光源２２1 〜２２3 及び青色光源２３1 〜２３3 についても同様に、それぞれの全体光量が５０％だけ減小するように光量を変化させる（同図（ｈ）及び（ｌ）参照）。なお、光量を低下させる移行時間ｔT 内においては、それぞれ変化前の上限値ＵＬ及び下限値ＬＬから変化後の上限値ＵＬ’及び下限値ＬＬ’に直線的に変化するように各光源２１1 …，２２1 …，２３1 …の光量が制御されている。
【００９６】
本実施形態によれば、作業面照度を変化させる場合に各光色の光源２１1 …，２２1 …，２３1 …を同じ比率で変化させているため、照明器具２０から発せられる全体の光色は作業面照度の変化の前後において変わることがなく、照明下にいる者（使用者）に対して作業面での光色が変化することによる違和感を与えることがないという利点がある。
【００９７】
なお、光源の数やその配置あるいは光色は本実施形態に限定する主旨ではなく、使用の目的や用途に応じて任意に選定できる。また、光量変化パターンの上限値及び下限値あるいはフェード時間や周期に関してもその用途に応じて任意に設定すればよい。つまり、各光色毎の光量変化パターンを変えることで照明器具から発せられる全体の光色は変わるので、器具の構成、用途、レイアウト等に応じて自由に変えることができる。
【００９８】
（実施形態１４）
本実施形態は、実施形態１３と同じ構成において照明器具２０から発せられる全体の光色を変えることなく、ゆらぎ点灯モードから連続点灯モードへ点灯モードのみを切り換える点に特徴がある。
ここで、本実施形態では赤色光源２１1 と緑色光源２２1 と青色光源２３1 を第１のグループＧ1 、赤色光源２１2 と緑色光源２２2 と青色光源２３2 を第２のグループＧ2 、赤色光源２１3 と緑色光源２２3 と青色光源２３3 を第３のグループＧ3 に各々グループ化し、図２１（ａ）〜（ｃ）に示すような同一の光量変化パターンに従って各グループＧ1 〜Ｇ3 毎に遅延時間ｔd だけずらしながら光量を変化させている。但し、各グループＧ1 〜Ｇ3 内における各光源２１1 …，２２1 …，２３1 …はあらゆる場合に等しい色度及び光束比を保って点灯するようにし、各グループＧ1 〜Ｇ3 についてこれらの値は等しくなるようにする。これにより、作業面における照度がほぼ一定になるとともに、各色の光源２１1 …，２２1 …，２３1 …から発する光が合成された作業面での光色は各光色が合成された色となり、各グループＧ1 〜Ｇ3 間でその光色が異なることがなく、照明器具２０全体の光色も時間的に変化することがない。
【００９９】
次に、点灯モードをゆらぎ点灯モードから連続点灯モードへ切り換える場合について説明する。本実施形態においては、実施形態８と同様に点灯モードの切り換えに伴う移行時間ｔT 内でフェード時間ｔf を維持しながら各グループＧ1 〜Ｇ3 毎に光源２１1 …の光量を上限値と下限値の間で周期的に変化させ、最終的に連続点灯モードの光量値ＳＬへ移行するように、制御回路部４によってスイッチング素子Ｑａ〜Ｑｃを位相制御して各光源２１1 …，２２1 …，２３1 …の光量を制御する（図２１参照）。つまり、本実施形態の場合には、各グループＧ1 〜Ｇ3 の全体光量のゆらぎ点灯モード時の上限値ＵＬが１００％、下限値が４０％であるのに対して、連続点灯モード時の光量値ＳＬは各々８０％となり、このとき作業面照度は移行時間ｔT 内を含めて常に一定となる（図２１（ｄ）参照）。
【０１００】
本実施形態によれば、ゆらぎ点灯モードと連続点灯モードとの切り換えの前後及び移行時間ｔT 内において、照明器具２０から発せられる全体の光色は変わらず、照明下にいる者（使用者）に対して作業面の光色の変化による違和感を与えることがなく、点灯モードの切り換えを行うことができるという利点がある。
なお、本実施形態ではゆらぎ点灯モードから連続点灯モードへの切り換えの場合について説明したが、これとは逆に連続点灯モードからゆらぎ点灯モードへの切り換えも同様に可能であり、また、光源の数やその配置あるいは光色は本実施形態に限定する主旨ではなく、使用の目的や用途に応じて任意に選定できる。さらに、光量変化パターンの上限値及び下限値あるいはフェード時間や周期に関してもその用途に応じて任意に設定すればよい。つまり、各光色毎の光量変化パターンを変えることで照明器具から発せられる全体の光色は変わるので、器具の構成、用途、レイアウト等に応じて自由に変えることができる。また、点灯モードを切り換える際の移行の前後および移行時間ｔT 内において、照明器具２０の全体の光色が変わることがなければ、作業面照度を変化させながら点灯モード切り変えるようにしてもよく、その場合にも上述と同様の効果を奏することができる。
【０１０１】
【発明の効果】
請求項１の発明は、複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、複数の光源によって照明される作業面での照度を所定の移行時間をかけて可変する可変手段を備え、制御手段は、移行時間内における各光源の光量が略一定の割合で変化し且つ移行時間内における作業面での照度が所定の割合で変化するように点灯手段を制御するので、移行時間をかけ且つ略一定の割合で光源の光量を変化させながら作業面での照度を変化させるため、アイキャッチ効果等の特殊な効果を得ながら可変手段によって作業面での照度を任意に可変することができ、しかも、作業面での照度が急峻に変化せず、略一定の割合で変化するので、作業面での作業者に違和感を与えることがないという効果がある。
【０１０２】
請求項２の発明は、複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、光量変化パターンに従って各光源を点灯させる第１の点灯モードと、光量変化パターンに依らずに略一定の光量で光源を点灯させる第２の点灯モードとを所定の移行時間をかけて切り換える切換手段を備え、制御手段は、移行時間内における各光源の光量が略一定の割合で変化し且つ移行時間内における作業面での照度が所定の割合で変化するように点灯手段を制御するので、移行時間をかけて第１の点灯モードと第２の点灯モードを切り換えながら作業面での照度を変化させるため、アイキャッチ効果等の特殊な効果を得ながら可変手段によって作業面での照度を任意に可変することができ、しかも、作業面での照度が急峻に変化せず、略一定の割合で変化するので、作業面での作業者に違和感を与えることがないという効果がある。
【０１０３】
請求項３の発明は、複数の光源と、これらの光源を点灯する点灯手段と、点灯手段を制御して各光源の光量を変える制御手段とを備え、制御手段は、複数の光源のうち少なくとも１つの光源が光量の上限値及び下限値の２つの光量間で単調かつ周期的に変化する光量変化パターンに従って光量が変化するように点灯手段を制御するとともに、他の少なくとも１つの光源が各々所定時間毎に順次遅れて光量変化パターンに従って光量が変化するように点灯手段を制御する照明装置において、光量変化パターンに従って各光源を点灯させる第１の点灯モードと、光量変化パターンに依らずに略一定の光量で光源を点灯させる第２の点灯モードとを所定の移行時間をかけて切り換えるとともに、点灯モードの切換時に複数の光源によって照明される作業面での照度を可変する切換可変手段を備え、制御手段は、移行時間内における各光源の光量が略一定の割合で変化し且つ移行時間内における作業面での照度が所定の割合で変化するように点灯手段を制御するので、移行時間をかけて第１の点灯モードと第２の点灯モードを切り換え且つ略一定の割合で光源の光量を変化させながら作業面での照度を変化させるため、アイキャッチ効果等の特殊な効果を得ながら可変手段によって作業面での照度を任意に可変することができ、しかも、作業面での照度が急峻に変化せず、略一定の割合で変化するので、作業面での作業者に違和感を与えることがないという効果がある。
【０１１４】
請求項５の発明は、制御手段が、切換手段にて点灯モードが切り換えられる際に切換動作の前後及び移行時間内における作業面での照度が略一定となるように点灯手段を制御するので、点灯モードの切り換えの前後とその間の移行時間内を通して作業面照度を時間的に常に略一定とし、照明下にいる者に気付かせることなく点灯モードの切り換えを行うことができるという効果がある。
【図面の簡単な説明】
【図１】実施形態１を示すブロック図である。
【図２】同上の動作を説明するための説明図である。
【図３】同上の動作を説明するための説明図である。
【図４】実施形態２の動作を説明するための説明図である。
【図５】同上の他の動作を説明するための説明図である。
【図６】実施形態３の動作を説明するための説明図である。
【図７】同上の他の動作を説明するための説明図である。
【図８】実施形態４の動作を説明するための説明図である。
【図９】実施形態５の動作を説明するための説明図である。
【図１０】実施形態６の動作を説明するための説明図である。
【図１１】実施形態７の動作を説明するための説明図である。
【図１２】実施形態８の動作を説明するための説明図である。
【図１３】同上の他の動作を説明するための説明図である。
【図１４】実施形態９の動作を説明するための説明図である。
【図１５】実施形態１０の動作を説明するための説明図である。
【図１６】実施形態１１の動作を説明するための説明図である。
【図１７】実施形態１２の動作を説明するための説明図である。
【図１８】同上の動作を説明するための説明図である。
【図１９】実施形態１３における照明器具を示す平面図である。
【図２０】同上の動作を説明するための説明図である。
【図２１】実施形態１４の動作を説明するための説明図である。
【符号の説明】
１  制御部
２  電源部
３  ゼロクロス検出部
４  制御回路部
１０1 〜１０3   照明器具
１１ａ1 …，１１ｂ1 …，１１ｃ1 …  光源
Ｑａ〜Ｑｃ  スイッチング素子
【図１】
0003809667.tif 000002
【図２】
0003809667.tif 000003
【図３】
0003809667.tif 000004
【図４】
0003809667.tif 000005
【図５】
0003809667.tif 000006
【図６】
0003809667.tif 000007
【図７】
0003809667.tif 000008
【図８】
0003809667.tif 000009
【図９】
0003809667.tif 000010
【図１０】
0003809667.tif 000011
【図１１】
0003809667.tif 000012
【図１２】
0003809667.tif 000013
【図１３】
0003809667.tif 000014
【図１４】
0003809667.tif 000015
【図１５】
0003809667.tif 000016
【図１６】
0003809667.tif 000017
【図１７】
0003809667.tif 000018
【図１８】
0003809667.tif 000019
【図１９】
0003809667.tif 000020
【図２０】
0003809667.tif 000021
【図２１】
0003809667.tif 000022